(57)【要約】      （修正有）【課題】シリコーンペーパー同士を摩擦抵抗もなく、一枚ずつスムーズに収納箱から引き出せると共に、収納箱内部での巻き崩れや巻き癖も生じ難く、また、シリコーンペーパーの箱入れも大変容易にできるシリコーンペーパーの収納箱を提供する。【解決手段】柱形状の空洞７を形成する側面４と底部と開口１Ａを備える収納箱１と、空洞内に収納される横断面が欧文字のＴ字形に構成された仕切り２とから構成され、所定の大きさに切り揃えられて多数枚積層されたシリコーンペーパー３１が、その中間部分３Ａが仕切りのステム部２１の頂点２１Ａにあるように配置されると共に、両端部分３Ｂは内向きにカールされて仕切りのステム部２０の付根の両側にあるように配置されて収納箱内に収納され、最内層から順次、取り出せるようにした。【選択図】図４
0003216076.tif 000002
【実用新案登録請求の範囲】
【請求項１】
内部が空洞に構成された柱形状の収納箱で、当該収納箱は柱形状の空洞を形成する側面
と一端を閉鎖する底部と他端を開放する開口を備えると共に、前記柱状空洞内に収納され
る横断面が欧文字のＴ字形に構成された仕切りを備えて構成され、所定の大きさに切り揃
えられて多数枚積層された積層紙の中間部分が前記仕切りのステム部の頂点にあるように
配置される共に、両端部分は内向きにカールされて前記仕切りのステム部の両側にあるよ
うに配置されて当該収納箱内に収納され、前記開口より積層紙の内側から順次取り出され
るようにしたことを特徴とする積層紙の収納箱。
【請求項２】
柱形状が四角であることを特徴とする請求項１記載の積層紙の収納箱。
【請求項３】
柱形状が円柱或いは四角以上の多角形であることを特徴とする請求項１記載の積層紙の
収納箱。
【請求項４】
前記開口は開閉自在な蓋を備えている請求項１〜 3のいずれかに記載の積層紙の収納箱
。
【請求項５】
前記開口は常時解放された開放口である請求項１〜３のいずれかに記載の積層紙の収納
箱。
【請求項６】
積層紙が厨房内で調理用に用いられるシリコーンペーパーである請求項１〜５のいずれ
かに記載の積層紙の収納箱。
【考案の詳細な説明】
【技術分野】
【０００１】
本考案は、主として厨房内或いは売り場の精算カウンター等に常備され、調理或いは各
種の品物の包装等に用いられる多数枚積層された積層紙の収納箱に関する。
【背景技術】
【０００２】
従来、積層紙を使用するに当たっては、多数枚を積層して平らに拡げたままであったり
、筒状に丸めて化粧箱に収納したりして厨房内や精算カウンター等に置かれていて、一枚
ずつ順次取出して用いられている。後者の例として特許文献１、同２が既に提案され、ま
た販売されている。
【先行技術文献】
【特許文献】
【０００３】
【特許文献１】特開２０１１―２５１７６８号公報
【特許文献２】特開２００７−９１３３２号公報
【考案の開示】
【考案が解決しようとする課題】
【０００４】
ところで、この種積層紙の収納にあって、平らに拡げたままの姿勢であると、それ自体
、必然的に積層紙大の広さのスペースが必要になり、狭い厨房や精算カウンター横の空間
では中々配置し難いのが実情であり、また往々にして収納のための化粧箱を必要とした。
また、特許文献１、同２に示される構造では、積層紙を縮径してコンパクトに纏められる
と共に、引出し口が筒状空間の天井と言う小さな面にあるので、設置位置に合致した小さ
い部分から積層紙を取り出せると共に、収納してある積層紙が外部と接触しにくく、外部
からの汚れを極力防ぐことができ、大変衛生的で、殊に厨房内の調理用に適用され場合に
は好適である。
【０００５】
しかし、前記先行技術では、積層紙はその辺縁を互いに重ね合わせるようにして、筒状
に丸めて縮径した状態で化粧箱内に納められるので、一枚一枚の取り出しがスムーズに行
えない問題があった。即ち、一番内層の一方の端部分の内面が最外層の他方の端部分の外
面に押し当てられ、最内層の一枚を引き出す際に、この重合部分に摩擦が生じて、中々ス
ムーズに且つ上手くは引き出せなかったり、次葉の積層紙が一緒に引き出されたりする問
題点がある。
【０００６】
このような現象を詳細に検討した結果、積層紙は丸められれば、元の平らな姿勢に戻ろ
うとする内部応力によって、丸められた姿勢から放射方向、つまり外に向かって広がろう
とするようになる。
【０００７】
この観点から、従来の構造を考察すると、平らに拡げたままの姿勢で配置することは論
外として、特許文献１、同２に開示された構造は、何れもが、本考案者らが意図する構造
とは異なり、必ずしも望ましい結果を期待できるものではなかった。
【０００８】
そこで本考案者らは、上記の新知見に基づいて、従前の考え方とは全く異なって、積層
紙の端部分に摩擦抵抗が生じない方途を模索した。そして、この観点から種々試行錯誤の
結果、幾つかの試作品を作製した。得られた結果はほぼ満足でき、新規な積層紙の収納箱
を得ることが出来たので、ここに提案する。
【０００９】
従って、本考案の目的は、収納箱の縮小化が図れ、たとえ狭いスペースであっても簡便
に配置でき、併せて積層紙同士の摩擦抵抗もなく、一枚ずつスムーズに引き出せ、しかも
箱内部での巻き崩れや収納時の巻き癖が生じ難く、また、積層紙の箱入れも大変容易にで
きる収納箱を提供することにある。
【課題を解決するための手段】
【００１０】
上記の目的を達成するために、この考案の請求項１に記載の積層紙の収納箱は、内部が
空洞に構成された柱形状の収納箱で、当該収納箱は柱形状の空洞を形成する側面と一端を
閉鎖する底部と他端を開放する開口を備えると共に、前記柱状空洞内に収納される横断面
が欧文字のＴ字形に構成された仕切りを備えて構成され、所定の大きさに切り揃えられて
多数枚積層された積層紙の中間部分が前記仕切りのステム部の頂点にあるように配置され
る共に、両端部分は内向きにカールされて前記仕切りのステム部の両側にあるように配置
されて当該収納箱内に収納され、前記開口より積層紙の内側から順次取り出されるように
したものである。
【００１１】
以上の構成により、本考案に係る積層紙の収納箱は、所定の大きさに切り揃えられ多数
枚積層された積層紙の中間部分が横断面形状で欧文字のＴ字形に構成された前記仕切りの
ステム部の頂点にあるように配置される共に、両端部分は内向きにカールされて前記仕切
りのステム部の両側にあるように配置されて当該収納箱内に収納される。その結果、前記
仕切りは積層紙の左右両端部分を完全に分離して、一方の最内層と他方の最外層とが内外
で互いに直に重合されてしまうことを未然に防ぐ。従って、従来の筒状に丸めて筒状箱に
収容する場合と違って、収納された積層紙の両サイドに無用な摩擦抵抗が発生することを
未然に防止する。併せて、収納された積層紙は全面にわたって放射方向、即ち外方へ拡開
するような力が働くので、最内層からの一枚ずつの積層紙の引き出しが抵抗なく大変スム
ーズになる。また、収納枚数が少なくなっても、所期の収納姿勢を上手く保たれるように
機能する。
【考案の効果】
【００１２】
このように、本考案の請求項１に記載の積層紙の収納箱は、従来の積層紙を平らなまま
で配置する場合と違って、内部が空洞に構成された柱形状の収納箱に収納してあるため、
収納容積が格段に縮小され、配置に要する床面積を大幅に少なくでき、厨房内や精算カウ
ンター等の周りをより有効に活用できる上に、運搬や保管のためのスペースの改善も図れ
、併せて取扱いも大変便利になる。
【００１３】
殊に、収納箱に収納された積層紙は、その左右両端部分は仕切りの存在で完全に分離さ
れて、一方の最内層と他方の最外層とが互いに内外で直に重合するおそれがなくなるため
に、従来の筒状に丸めて筒状箱に収容された場合と違って、収納された積層紙の両端部分
に無用な摩擦抵抗を生じさせることがなく、併せて、収納された積層紙は全面にわたって
放射方向、即ち外方へ拡開するような力が働くので、最内層からの一枚ずつの積層紙の引
き出しが抵抗なく大変スムーズに行えるようになった。しかも、収納枚数が少なくなって
も、所期の収納姿勢が上手く保たれ、巻き崩れや巻き癖の生じるおそれを可及的に少なく
できるようになった。
【００１４】
以上の構成において、本考案に係る積層紙の収納箱は、請求項２に記載のように、柱形
状が四角や、請求項３に記載のように、柱形状が円柱或いは四角以上の多角形であること
によっても、何れの場合にも配置スペースの縮小化を図れて、厨房内や精算カウンター等
をより有効に活用できる上に、運搬や保管のためのスペースの改善も図れ、使い勝手の良
い、また所期の技術的課題を上手く解決できる。
【００１５】
また、請求項４に記載のように、前記開口は開閉自在な蓋を備えていることによって、
収納され積層紙が運搬や保管時に汚損されたり、収納箱から不用意に零れ落ちたりするお
それを可及的に少なくでき、また所期の技術的課題を上手く解決できる。
【００１６】
更には、請求項５に記載のように、前記開口は解放口に構成されていることによって、
使用の現場で積層紙を引き出すに当たって、何らの障害もなく、その引き出しが一層簡便
且つスムーズに行え、使い勝手の良い、また所期の技術的課題を上手く解決できる。
【００１７】
また、請求項６に記載のように、積層紙が厨房内で調理用に用いられるシリコーンペー
パーであるのが望ましい。
シリコーンペーパーは片面或いは両面にシリコーンを表面塗工又は浸透させてなるもの
であって、このシリコーンによってさらに抵抗少なく、大変スムーズに積層紙を引き出せ
るからである。
【図面の簡単な説明】
【００１８】
【図１】この考案に係る積層紙の収納箱の実施例を示し、使用状態の全体外観図である。
【図２】収納箱の展開図である。
【図３】仕切りの展開図である。
【図４】収納箱と仕切り並びに積層紙の組み付け手順を示す説明外観図である。
【図５】蓋や上面フラップなどを省略して収納箱と仕切りと積層紙との関係を示す説明平面図である。
【図６】収納箱の断面形状が円形である場合の説明平面図である。
【図７】収納箱の断面形状が多角形である場合の図５に対応した説明平面図で、（Ａ）は五角形、（Ｂ）は六角形、（Ｃ）は八角形を示す。
【考案を実施するための形態】
【００１９】
次に、本考案に係る積層紙の収納箱として、ホテルや外食産業或いは製菓・製パン業等
の厨房内に、所定の大きさに切り揃えられた多数枚が積層されて調理用として常備されて
いるシリコーンペーパーの収納箱に適用した場合について、以下詳述する。
【００２０】
図１は、収納箱１とこの収納箱１内に仕切り２と共に納められた積層紙３としてのシリ
コーンペーパー３１を示す全体外観図で、収納箱１並びに仕切り２は、必要に応じて、例
えば段ボール、厚紙或いはコートボール紙等を用いて作成される。
【００２１】
図２は、収納箱１の展開図で、側面４の一例としての四面の側面板５が横方向に連続し
、一側端に位置する側面板５Ａの端縁に接着代６が一体に連設され、各側面板５を直角に
折って前記接着代６を他側端に位置する側面板５Ｂの内面に貼着する。これによって、前
記側面４に囲われた空洞７が形成される。図例では、四角筒状の空洞７を備える胴体８が
形成される。
【００２２】
前記四面の各側面板５の下縁には夫々底面フラップ９が一体に連設され、隣り合う底面
フラップ９の一部に設けられた係止片１０を介して折り畳んで組み立てる、或いは接着剤
を用いて連結することによって、前記空洞７の底部１１としての底蓋１２が形成されるよ
うに構成されている。
【００２３】
また、前記側面板５の一つの上縁に、蓋１３としての上蓋１４が一体に連設されている
と共に、この上蓋１４の先端には係止片１５が一体に連設されている。また、他の側面板
５の上縁からも夫々上面フラップ１６が一体に連設されている。更に、前記上蓋１４に対
峙する側面板５とその上縁に連設されている上面フラップ１６の連接部１７の中央に係止
用のスリット１８が穿設されていて、前記上蓋１４を閉じた時にその係止片１５がこのス
リット１８に係止しされて、前記空洞７の開口７Ａである前記収納箱１の開口１Ａが開放
されないように、閉じた状態を維持するように働く。
【００２４】
このようにして、内部が四角筒状の空洞７に構成され、開閉自在な上蓋１４を備えた収
納箱１が得られる。
【００２５】
次に、仕切り２は、図３の展開図に示されるように、前記空洞７の上下寸法、つまり前
記収納箱１の前記胴体８の上下寸法とほぼ等しい上下寸法に設定された長方形の紙板で、
短辺方向に四等分するように、上下方向、つまり長辺方向に沿った三本の折り線１９が設
けられている。この仕切り２は、中央の折り線１９Ａを山折りすると共に、左右の折り線
１９Ｂを夫々谷折りすることで、図４、同５に示すような、水平なアーム（ａｒｍ）部２
０の中央から直角に伸びるステム（ｓｔｅｍ）部２１を備えた丁度欧文字のＴ字形に折り
曲げて構成される。具体的には、中央の折り線１９Ａで山折りされた左右一対の板部から
成るステム部２１の端部に、ここから左右外方へほぼ直角に折り曲げられて一体に張り出
す左右一対から成るアーム部２０とから構成さる。
【００２６】
前記アーム（ａｒｍ）部２０の左右寸法は、図５に示すように、このアーム（ａｒｍ）
部２０が対峙する前記側面板５の横幅の２分の１と同等若しくはやや短めに設定されてい
る。また、前記ステム（ｓｔｅｍ）部２１の頂点２１Ａ、つまり山折り部からアーム（ａ
ｒｍ）部分２０に至る寸法Ｌ、即ちステム部２１の高さは、前記シリコーンペーパー３１
の積層厚み分Ｌ２を収納箱１の側面板５の内面との間に確保できるに足る寸法に設定され
る。
【００２７】
以上のように構成された本考案によるシリコーンペーパーの収納箱は、図４に示される
ように、先ず前記仕切り２の周りに、所定の大きさに切り揃えられて多数枚積層された前
記シリコーンペーパー３１を、その中間部分３１Ａが前記仕切り２のステム部２１の頂点
２１Ａに合致して配置されるようにする共に、両端部分３１Ｂは夫々内向きにカールされ
て前記仕切り２の前記ステム部２１の両側、前記アーム部２０との付け根辺りにあるよう
に配置されるようにして、前記仕切り２と一緒に当該収納箱１内に収納される。この際、
前記仕切り２を先行させて前記収納箱１内に納め、次いで前記シリコーンペーパー３１を
、上記のように両端部分３１Ａをカールさせると共に全体を丸めて、その中間部分３１Ａ
が前記仕切り２のステム部２１の頂点２１Ａに合致させて配置されるようにし、後から収
納箱１内に納めるようにしても良いが、取扱い上は、シリコーンペーパー３１をあらかじ
め仕切り２に巻き付けてから、両者を一度に収納箱１に収納するのが望ましい。
【００２８】
このようにシリコーンペーパー３１が収納された収納箱１は、厨房内で各種の調理の際
に用いられるが、シリコーンペーパー３１を平らなままで配置する場合と違って、内部が
空洞７に構成された四角形の柱状の収納箱１に収納されているため、配置スペースの縮小
化を図ることができ、厨房内をより有効に活用できる上に、運搬や保管のためのスペース
の改善も図れ、併せて取扱いも大変便利になる。また、従来のように、シリコーンペーパ
ーを不用意に汚損するおそれも格段に少なくなることは言うまでもない。
【００２９】
更に、収納箱１に納められたシリコーンペーパー３１は、その内向きにカールされた前
記左右両端部分３１Ｂが前記仕切り２の存在で完全に分離されることになり、互いに内外
で直に重合するおそれが無くなる。その結果、従来の筒状に丸めて筒状箱に収容された場
合と違って、収納されたシリコーンペーパー３１の前記両端部分３１Ｂに無用な摩擦抵抗
を生じさせることがない。併せて、収納されたシリコーンペーパー３１には、これを全面
にわたって放射方向、即ち外方へ拡開するような力が働くので、前記開口１Ａより最内層
からの一枚ずつの引き出しを抵抗なく大変スムーズに行える。しかも、収納枚数が少なく
なっても、所期の収納姿勢が上手く保たれ、単に筒状に丸めた場合と違って、巻き崩れや
巻き癖の生じるおそれを可及的に少なくできる。
【００３０】
また、収納箱１の形状としては、図６に示される円筒状であっても、図７（Ａ）〜（Ｃ
）に示す、五角形、六角形、八角形の多角形の筒状であっても、上記実施の形態に記載さ
れた四角形の場合と同等の効果が発揮される。この場合、円筒状にした場合が、収納箱１
としては最も嵩低く、次いで四角形となり、それ以上の五角形、六角形、八角形では収納
箱１にややデッドスペースが生じるが、実務上特段に問題が生じるおそれもなかったので
、次善の策として十分に実用に供されると判断した。
【００３１】
しかし、三角形では、収納箱１そのものが大型化して、デッドスペースも無視できる範
囲を越える結果となり、所期の望ましい効果が発揮できないきらいがあったので、除外し
た。
【００３２】
収納箱１が多角形状の場合には、図６に示すように、前記アーム（ａｒｍ）部２０の全
長は、四角形状の場合に比べて必然的に短くなることは言うまでもない。
【００３３】
また、前記仕切り２は、図例では、一枚の矩形の紙を折り曲げで構成されているが、次
善の策として、前記アーム部２０と前記ステム部２１を夫々一枚の紙で別体に構成し、前
記アーム部２０の中央部位に前記ステム部２１の一端を貼着して固定させる構成であって
も、前記シリコーンペーパー３１の前記両端部分３１Ｂのカール部分を上手く分離して保
持でき、上記実施例に示した一体構成のものと同様の効果が期待できることは言うまでも
ない。
【００３４】
更に、上記実施例では上蓋１４が設けられた例を示したが、この上蓋１４は必ずしも必
要ではなく、前記胴体８の上方は開放された開口１Ａに構成されていても良い。この場合
には、使用の現場でシリコーンペーパー３１を引き出すのに、何らの障害もなく、その引
き出しが一層簡便且つスムーズに行え、使い勝手の良い、また所期の技術的課題を上手く
解決できる。
【産業上の利用可能性】
【００３５】
本考案に係る積層紙の収納箱は、実施例記載のように、ホテルや外食産業等の厨房内で
調理用として用いられるシリコーンペーパー３１の他にも、製菓・製パン業や一般家庭の
キッチンで用いられる皿や、オーブンや電子レンジの皿に敷かれたりする所謂小振りのク
ッキングペーパーやオイルペーパー或いは耐油耐水紙等、更にはデパートやスーパー或い
は各種の小売店の精算カウンター等に常備されて用いられる一般の包装紙、つまり上質紙
、コート紙、ロール紙、クラフト紙、不織布等、また各種の食品を包むために用いられる
包み紙等の収納箱としても好適に適用されることは言うまでもない。
【符号の説明】
【００３６】
１…収納箱
１Ａ…開口
２…仕切り
３…積層紙
３１…シリコーンペーパー
３１Ａ（３Ａ）…中間部分
３１Ｂ（３Ｂ）…両端部分
４…側面
５…側面板
７…空洞
８…胴体
１１…底部
１２…底蓋
１３…蓋
１４…上蓋
１９…折り線
１９Ａ…中央の折り線
１９Ｂ…左右の折り線
２０…アーム部
２１…ステム部
２１Ａ…ステム部の頂点
【図１】
0003216076.tif 000003
【図２】
0003216076.tif 000004
【図３】
0003216076.tif 000005
【図４】
0003216076.tif 000006
【図５】
0003216076.tif 000007
【図６】
0003216076.tif 000008
【図７】
0003216076.tif 000009